(57)【要約】【課題】物品の大きさを把握可能にする技術を提供する。【解決手段】撮像情報を取得する撮像部２６０と、撮像部２６０により取得された撮像情報に基づく撮像画像をディスプレイに表示させる画像表示部２１０とを有し、画像表示部２１０は、撮像部２６０によりマーカーが読み取られると、マーカーのサイズと商品のサイズとの比率に基づき、商品の画像を前記撮像画像に対し、実寸大で重畳表示させる。【選択図】図１
2019040490.tif 000002
【特許請求の範囲】
【請求項１】
撮像情報を取得する撮像部と、
前記撮像部により取得された前記撮像情報に基づく撮像画像をディスプレイに表示させる画像表示部と、
を有し、
前記画像表示部は、前記撮像部によりマーカーが読み取られると、前記マーカーのサイズと商品のサイズとの比率に基づき、商品の画像を前記撮像画像に対し、実寸大で重畳表示させる、
表示装置。
【請求項２】
請求項１に記載の表示装置において、
前記画像表示部は、前記撮像部により読み取られるマーカーの位置と、表示モードとに基づき、商品の画像を表示させる位置を決定する、表示装置。
【請求項３】
請求項２に記載の表示装置において、
前記表示モードが第１の表示モードである場合、前記画像表示部は、前記マーカーと前記画像との全部または一部が重なった状態で、前記マーカーに対して垂直方向に移動させた位置に前記画像を前記撮像画像に対し、実寸大で重畳表示させる、表示装置。
【請求項４】
請求項２に記載の表示装置において、
前記表示モードが第２の表示モードである場合、前記画像表示部は、前記マーカーと前記画像とが重ならない状態で、前記マーカーに対して垂直方向に移動させた位置に前記画像を前記撮像画像に対し、実寸大で重畳表示させる、表示装置。
【請求項５】
請求項２に記載の表示装置において、
前記表示モードが第３の表示モードである場合、前記画像表示部は、前記マーカーと前記画像との全部または一部が重なった状態で、前記マーカーに対して水平方向に移動させた位置に前記画像を前記撮像画像に対し、実寸大で重畳表示させる、表示装置。
【請求項６】
請求項２に記載の表示装置において、
前記表示モードが第４の表示モードである場合、前記画像表示部は、商品を斜め方向から観察した状態を示す斜視画像を、前記マーカーと前記画像とが重ならない状態で、前記マーカーに対して水平方向に移動させた位置に前記画像を前記撮像画像に対し、実寸大で重畳表示させる、表示装置。
【請求項７】
請求項１に記載の表示装置において、
前記撮像部は、前記マーカーとしてポイントカードを読み取る、表示装置。
【請求項８】
撮像部が、撮像情報を取得する撮像ステップと、
画像表示部が、前記撮像部により取得された前記撮像情報に基づく撮像画像をディスプレイに表示させる撮像画像表示ステップと、
画像表示部が、前記撮像部によりマーカーが読み取られると、前記マーカーのサイズと商品のサイズとの比率に基づき、商品の画像を前記撮像画像に対し、実寸大で重畳表示させる実寸大画像表示ステップと、
を有する、表示方法。
【請求項９】
縮尺情報共有サーバと、前記縮尺情報共有サーバとネットワークを介して接続される表示装置と、を有する表示システムであって、
前記縮尺情報共有サーバは、前記表示装置に商品の縮尺情報を提供し、
前記表示装置は、
撮像情報を取得する撮像部と、
前記撮像部により取得された前記撮像情報に基づく撮像画像をディスプレイに表示させる画像表示部と、
を有し、
前記画像表示部は、前記撮像部によりマーカーが読み取られると、前記マーカーのサイズと前記縮尺情報に基づき特定される商品のサイズとの比率に基づき、商品の画像を前記撮像画像に対し、実寸大で重畳表示させる、
表示システム。
【発明の詳細な説明】
【技術分野】
【０００１】
本発明は、示装置及び表示方法並びに表示システムに関する。
【背景技術】
【０００２】
設計図面などの画像に縮尺情報を設定し、対応する大きさで表示する技術が知られている。
【０００３】
例えば、特開２０１３−７３６０３号公報（特許文献１）には、「タブレット型端末装置のＣＰＵは、表示画面に所定の縮尺でのデジタル図面の図面データを表示する。このときＣＰＵは、デジタル図面のデータの属性情報を参照し、タブレット型端末装置の表示密度と比較して、選択された固定縮尺での設計図面を表示画面に表示する。こうすることで、端末装置の表示画面に、正確に実寸に準拠した縮尺で図面データを表示できる。」と記載されている。
【先行技術文献】
【特許文献】
【０００４】
【特許文献１】特開２０１３−７３６０３号公報
【発明の概要】
【発明が解決しようとする課題】
【０００５】
従来の技術では、実寸に準拠した縮尺でデジタル図面を表示できる。しかしながら、従来の技術は、ディスプレイにデジタル図面のみが表示されている。そのため、他の物品との対比で物品の大きさを把握することが困難という問題があった。
本発明の目的は、物品の大きさを把握可能にする技術を提供することである。
【課題を解決するための手段】
【０００６】
本願において開示される発明のうち、代表的なものの概要を簡単に説明すれば、次の通りである。
【０００７】
本発明の一実施の形態は、撮像情報を取得する撮像部を有する。また、前記撮像部により取得された前記撮像情報に基づく撮像画像をディスプレイに表示させる画像表示部を有する。また、前記画像表示部は、前記撮像部によりマーカーが読み取られると、前記マーカーのサイズと商品のサイズとの比率に基づき、商品の画像を前記撮像画像に対し、実寸大で重畳表示させる。
【０００８】
また、本発明の一実施の形態は、撮像部が、撮像情報を取得する撮像ステップを有する。また、画像表示部が、前記撮像部により取得された前記撮像情報に基づく撮像画像をディスプレイに表示させる撮像画像表示ステップを有する。また、画像表示部が、前記撮像部によりマーカーが読み取られると、前記マーカーのサイズと商品のサイズとの比率に基づき、商品の画像を前記撮像画像に対し、実寸大で重畳表示させる実寸大画像表示ステップとを有する。
【０００９】
また、本発明の一実施の形態は、縮尺情報共有サーバと、前記縮尺情報共有サーバとネットワークを介して接続される表示装置と、を有する表示システムであって、前記縮尺情報共有サーバは、前記表示装置に商品の縮尺情報を提供する。また、前記表示装置は、撮像情報を取得する撮像部と、前記撮像部により取得された前記撮像情報に基づく撮像画像をディスプレイに表示させる画像表示部と、を有し、前記画像表示部は、前記撮像部によりマーカーが読み取られると、前記マーカーのサイズと前記縮尺情報に基づき特定される商品のサイズとの比率に基づき、商品の画像を前記撮像画像に対し、実寸大で重畳表示させる。
【発明の効果】
【００１０】
本願において開示される発明のうち、代表的なものによって得られる効果を簡単に説明すれば以下のとおりである。
本発明の一実施の形態によれば、物品の大きさを把握できる。
【図面の簡単な説明】
【００１１】
【図１】本発明の一実施の形態における表示システムの構成例の概要を示す図である。
【図２】本発明の一実施の形態における、共有縮尺情報記憶部および縮尺情報記憶部に記憶されている縮尺情報の構成例の概要を示す図である。
【図３】本発明の一実施の形態における、マーカー情報記憶部に記憶されているマーカー情報の構成例の概要を示す図である。
【図４】本発明の一実施の形態における、縮尺情報設定画面の構成例の概要を示す図である。
【図５】本発明の一実施の形態における、画像リスト表示画面の構成例の概要を示す図である。
【図６】本発明の一実施の形態における、ＱＲコード読取画面の構成例の概要を示す図である。
【図７】本発明の一実施の形態における、実寸大画像重畳表示画面の構成例の概要を示す図である。
【図８】本発明の一実施の形態における、実寸大画像重畳表示画面の構成例の概要を示す図である。
【図９】本発明の一実施の形態における、実寸大画像重畳表示画面の構成例の概要を示す図である。
【図１０】本発明の一実施の形態における、実寸大画像重畳表示画面の構成例の概要を示す図である。
【図１１】本発明の一実施の形態における、実寸大画像重畳表示画面の構成例の概要を示す図である。
【図１２】本発明の一実施の形態における、全体処理の概要を示す図である。
【図１３】本発明の一実施の形態における、商品データ登録処理の概要を示す図である。
【図１４】本発明の一実施の形態における、実寸大画像表示処理の概要を示す図である。
【発明を実施するための形態】
【００１２】
以下、本発明の実施の形態を図面に基づいて詳細に説明する。なお、実施の形態を説明するための全図において、同一部には原則として同一の符号を付し、その繰り返しの説明は省略する。
＜システム構成＞
【００１３】
図１は、本発明の一実施の形態における表示システム１０の構成例の概要を示す図である。図１に示されるように、表示システム１０は、縮尺情報共有サーバ１００と、縮尺情報共有サーバ１００とネットワークを介して接続される表示装置２００と、表示装置２００とネットワークを介して接続される商品画像提供端末３００とを有する。
【００１４】
表示装置２００は、画像表示部２１０と、縮尺設定部２２０と、縮尺情報記憶部２３０と、縮尺指定部２４０と、ＱＲコード読取処理部２５０と、撮像部２６０と、マーカー情報記憶部２７０と、登録情報記憶部２８０とを有する。
【００１５】
表示装置２００には、ＡＲプラットフォームが搭載されており、空間認識とともにＡＲアプリケーションなどの稼働が可能である。また、表示装置２００には、ＡＲアプリケーションが予めインストールされている。
【００１６】
画像表示部２１０は、撮像部２６０により取得された撮像情報に基づく撮像画像をディスプレイに表示させる。また、画像表示部２１０は、汎用的なＷｅｂブラウザソフトウェアのように、Ｗｅｂページをディスプレイに表示させる。また、画像表示部２１０は、商品画像ＵＲＬに対応する画像（商品の画像）を外部のサーバから取得してディスプレイに表示させる。
【００１７】
画像表示部２１０は、マーカーに表示されている特徴点を抽出することで、撮像画像内にマーカーが含まれていることを認識する。マーカーには複数の特徴点が存在し、例えば、ある特徴点が手などによって隠れている場合には、画像表示部２１０は、隠れていない特徴点を抽出することで撮像画像内にマーカーが含まれていることを認識する。
【００１８】
撮像部２６０によりマーカーが読み取られると、画像表示部２１０は、マーカーのサイズと商品のサイズとの比率に基づき、撮像画像に対し商品の画像を実寸大で重畳表示させる。
【００１９】
撮像部２６０により読み取られるマーカーは、シート状であって大きさは、縦３ｃｍ〜１００ｃｍ、横３ｃｍ〜１００である。マーカーとしては買い物の際に提示され、一定購入金額ごとにポイント（商品の値引きや、特典との交換に使用される）が加算されるポイントカードなどが該当する。また、マーカーとしては、スタンプ式、バーコード式、カードリーダー式のすべてのポイントカードを含む。また、クレジットカードや電子マネーの機能を有するポイントカードを含む。なお、マーカーは、必ずしもシート状であることは必要なく、マーカーとして認識されるあらゆる形状のものを含む。
【００２０】
画像表示部２１０は、撮像部２６０により読み取られるマーカーの位置（マーカーの中心位置や、四隅の座標など、マーカー内のいずれか１点以上座標）と、表示モードとに基づき、商品の画像を表示させる位置を決定する。例えば、表示モードが第１の表示モードである場合、画像表示部２１０は、マーカーの位置の上方向の位置を、商品の画像が表示される位置として決定する。
【００２１】
また、表示モードが第２の表示モードである場合、画像表示部２１０は、マーカーの位置の上方向に商品の画像の下辺が表示される位置を、商品の画像が表示される位置として決定する。
また、表示モードが第３の表示モードである場合、画像表示部２１０は、マーカーの位置の水平方向の位置を、商品の画像が表示される位置として決定する。
【００２２】
また、表示モードが第４の表示モードである場合、画像表示部２１０は、マーカーの位置の水平方向に商品の画像の測辺（右測辺または左測辺のいずれか）が表示される位置を、商品の画像が表示される位置として決定する。
縮尺設定部２２０は、画像表示部２１０が提供する画像に対する縮尺情報を設定する。
縮尺情報記憶部２３０には、画像に設定されている縮尺情報と、画像の商品画像ＵＲＬとが対応付けて記憶されている。
【００２３】
縮尺指定部２４０は、縮尺情報記憶部２３０に記憶されている商品画像ＵＲＬと商品画像ＵＲＬに対応する縮尺情報とを取得する。そして、縮尺指定部２４０は、縮尺情報に基づき、商品画像ＵＲＬにアクセスすることで取得する画像をディスプレイに表示させる。
【００２４】
縮尺指定部２４０は、ユーザから縮尺を指定する入力を受け付け、ディスプレイに表示されている縮尺情報設定画面（後述、図４）に含まれる画像の拡大および縮小を行う。また、縮尺指定部２４０は、縮尺情報設定画面に表示されている画像を計測するための定規を、縮尺情報設定画面に表示させる。
【００２５】
撮像部２６０は、空間を撮像し、リアルタイムで撮像情報を取得する。また、撮像部２６０は、リアルタイムで取得する撮像情報に基づく撮像画像（例えば、撮像している空間の画像など）をディスプレイに表示させる。
マーカー情報記憶部２７０には、マーカーの画像データとともに、マーカーのサイズを特定するための情報が記憶されている。
【００２６】
なお、表示装置２００は、演算装置（ＣＰＵ）、主記憶装置（ＲＡＭ）、ＨＤＤやＳＳＤ、フラッシュメモリなどの補助記憶装置、液晶ディスプレイや有機ＥＬディスプレイ、電子ペーパーなどのディスプレイ装置、有線及び／又は無線によるインターネットへの接続手段、キーボードやマウス、タッチパネル装置などの入力装置を備える。これは、表示装置２００を実現するための専用の端末を用いてもよいし、パーソナルコンピュータや携帯電話端末、スマートフォン端末、タブレット端末などのような汎用的なコンピュータ装置の補助記憶装置に、表示装置２００としての機能を実現するためのプログラムを記録し、実行可能な構成とすることによって実現してもよい。また、一般的なブラウザソフトウェアを利用可能なコンピュータ装置において、ブラウザソフトウェアによって表示装置２００としての機能を実現するためのプラグインプログラムを付加するような形態によって実現してもよい。
【００２７】
また、本実施形態においては、表示装置２００は入力装置としてタッチパネル装置を有するものとして説明するが、上述した通り、入力装置はこれに限る物ではない。
縮尺情報共有サーバ１００は、縮尺情報受信部１１０と、共有縮尺情報記憶部１２０と、縮尺情報配信部１３０とを有する。
【００２８】
縮尺情報受信部１１０は、表示装置２００から送信される縮尺情報を受信する。縮尺情報受信部１１０は、受信した縮尺情報をＷｅｂページの商品画像ＵＲＬと対応付けて共有縮尺情報記憶部１２０に記憶する。なお、Ｗｅｂページの商品画像ＵＲＬは、表示装置２００から縮尺情報ともに送信されても良いし、外部のサーバから取得するようにしても良い。
縮尺情報配信部１３０は、縮尺情報と商品画像ＵＲＬとを対応付けて表示装置２００に送信する。
【００２９】
縮尺情報共有サーバ１００は、演算装置（ＣＰＵ）、主記憶装置（ＲＡＭ）、ＨＤＤやＳＳＤ、フラッシュメモリなどの補助記憶装置、有線及び／又は無線によるインターネットへの接続手段や、各種の入出力手段などを備える、汎用的なサーバ装置の補助記憶装置に、縮尺情報共有サーバ１００の各手段を実現するためのプログラムを記録し、実行可能な実行することにより、実現できる。また、複数のサーバ装置の組み合わせによって、縮尺情報共有サーバ１００を実現するような構成としてもよい。
＜縮尺情報記憶部＞
【００３０】
図２は、本発明の一実施の形態における、共有縮尺情報記憶部１２０および縮尺情報記憶部２３０に記憶されている縮尺情報の構成例の概要を示す図である。図２に示されるように、縮尺情報は、 [商品名]、[スロット番号]、[商品画像ＵＲＬ]、[縮尺情報]、[商品サイズ情報]などのデータ項目により構成される。
【００３１】
[商品名]は、商品の名称を示す。[スロット番号]は、商品の画像が割り当てられるスロットを識別するための番号を示す。[商品画像ＵＲＬ]は、商品画像が記憶されているアドレスを特定するためのＵＲＬを示す。
【００３２】
[縮尺情報]は、商品画像を実寸大表示するための倍率を示す。縮尺情報は、スケール値（表示倍率）が該当する。例えば、７２ｄｏｔを１ｉｎｃｈで表示する場合のスケール値を基準値「１．０」として、当該基準値に掛け合わされる値がスケール値となる。
【００３３】
[商品サイズ情報]は、商品のサイズを特定するための情報であり、商品の幅（ディスプレイに表示される商品画像の横方向の長さ）および商品の高さ（ディスプレイに表示される商品画像の縦方向の長さ）とからなる。なお、[商品サイズ情報]は、商品の幅（ディスプレイに表示される商品画像の横方向の長さ）または商品の高さ（ディスプレイに表示される商品画像の縦方向の長さ）のいずれか一方から構成されるようにしても良い。
＜マーカー情報記憶部＞
【００３４】
図３は、本発明の一実施の形態における、マーカー情報記憶部２７０に記憶されているマーカー情報の構成例の概要を示す図である。図３に示されるように、マーカー情報は、[商品名]、[スロット番号]、[マーカー画像] 、[マーカーサイズ情報]などのデータ項目により構成される。[マーカー画像]は、マーカー画像を表示するための画像データである。
【００３５】
[マーカーサイズ情報]は、マーカーのサイズを特定するための情報であり、マーカーの幅（ディスプレイに表示されるマーカー画像の横方向の長さ）およびマーカーの高さ（ディスプレイに表示されるマーカー画像の縦方向の長さ）とからなる。なお、[マーカーサイズ情報]は、マーカーの幅（ディスプレイに表示されるマーカー画像の横方向の長さ）およびマーカーの高さ（ディスプレイに表示されるマーカー画像の縦方向の長さ）のいずれか一方から構成されるようにしても良い。
＜縮尺情報設定画面＞
【００３６】
図４は、本発明の一実施の形態における縮尺情報設定画面の構成例の概要を示す図である。図４に示されるように、縮尺情報設定画面は、計測ボタン６１０と、サイズ入力ボタン６２０とが表示される。
【００３７】
縮尺情報設定画面がピンチインやピンチアウトなどの操作を受け付けると、縮尺指定部２４０は、縮尺情報設定画面に表示されている画像６５０の拡大または縮小を行う。例えば、縮尺情報設定画面がピンチインされる操作を受け付けると、縮尺指定部２４０は、縮尺情報設定画面に表示されている画像６５０を縮小する。一方、縮尺情報設定画面がピンチアウトされる操作を受け付けると、縮尺指定部２４０は、縮尺情報設定画面に表示されている画像６５０を縮小する。
例えば、縮尺情報が設定される対象が画像６５０である場合、画像６５０が領域内に収まるように、拡大または縮小される。
計測ボタン６１０が押下されると、縮尺指定部２４０は、計測対象の範囲を指定するための計測対象指定図形６３０を縮尺情報設定画面に表示させる。
【００３８】
計測対象指定図形６３０の一端６３１は、ドラッグされることで、計測対象の一端（上辺）に移動される。また、計測対象指定図形６３０の他端６３２がドラッグされることで、計測対象の他端（下辺）に移動される。これによって、計測対象指定図形６３０の一端６３１から他端６３２までが計測対象として特定される。
【００３９】
サイズ入力ボタン６２０が押下されると、計測対象のサイズの入力を受け付けると、縮尺指定部２４０は、計測対象（一端６３１から他端６３２までの間隔）のサイズの入力を受け付けるサイズ入力欄６６０を、縮尺情報設定画面に表示させる。
【００４０】
サイズ入力欄６６０は、計測対象のサイズの入力を受け付ける。これにより、計測対象のピクセル数と実寸が明らかになる。サイズ入力欄６６０に、計測対象のサイズが入力されると、縮尺指定部２４０は、特定された計測対象の範囲（計測対象指定図形６３０の一端６３１から他端６３２までの間隔）と、入力されたサイズとに基づき、縮尺情報であるスケール値（表示倍率）を算出する。そして、縮尺指定部２４０は、算出した縮尺情報と、画像を特定するための商品画像ＵＲＬとを対応付けて縮尺情報記憶部２３０に記憶する。なお、縮尺指定部２４０は、商品画像ＵＲＬと、縮尺情報に加えて、縮尺情報設定画面を介して入力を受け付ける件名やタグなどの付加情報を縮尺情報記憶部２３０に記憶しても良い。
＜画像リスト表示画面＞
【００４１】
図５は、本発明の一実施の形態における画像リスト表示画面の構成例の概要を示す図である。図５に示されるように、画像リスト表示画面には、ＱＲコード読取ボタン７１０と、削除ボタン７３０とが表示される。また、画像リスト表示画面には、登録されている画像７２０が一覧で表示される。削除したい画像７２０が選択された後に削除ボタン７３０が押下されると、選択された画像７２０が削除され、対応する画像７２０の登録情報が登録情報記憶部２８０から削除される。
【００４２】
ＱＲコード読取ボタン７１０が押下されると、表示装置２００のＱＲコード読取処理部２５０は、ＱＲコード読取画面（後述、図６）ディスプレイに表示させる。
＜ＱＲコード読取画面＞
【００４３】
図６は、本発明の一実施の形態におけるＱＲコード読取画面の構成例の概要を示す図である。図６に示されるように、ＱＲコード読取画面には、表示装置２００の撮像部２６０により撮像される撮像画像６００が表示される。
【００４４】
表示装置２００の撮像部２６０によりＱＲコード（登録商標）８２０が読み取られると、ＱＲコード８２０から特定される商品画像ＵＲＬが登録情報記憶部２８０に記憶される。これによって、表示装置２００に新たな画像と画像が登録される。
＜実寸大画像重畳表示画面＞
【００４５】
図７〜図１１は、本発明の一実施の形態における実寸大画像重畳表示画面の構成例の概要を示す図である。図７に示されるように、実寸大画像重畳表示画面には、第１のモード切替ボタン７１００と、第２のモード切替ボタン７２００と、第３のモード切替ボタン７３００と、第４のモード切替ボタン７４００と、重畳表示される候補画像７５０とが表示される。
【００４６】
まず、表示装置２００の撮像部２６０により、マーカー８１０が読み取られる。正常にマーカー８１０が読み取られると、図８に示されるように、マーカー８１０に対して、商品の画像８２０が重畳して表示される。このように、ディスプレイ装置上に実寸に基づいた縮尺表示を行うことで、ユーザはサイズ感などを容易に得ることができる。
【００４７】
ここで、縮尺情報記憶部２３０に記憶されている縮尺情報と、表示装置２００のディスプレイの表示領域の寸法及び縦横のピクセル数が明らかであれば、それに基づいて、実寸に基づいた縮尺表示を行うことができる。例えば、Ｗｅｂページ中に含まれる画像において、実際の長さが５ｃｍである部位を１分の１の縮尺（等倍）で表示する際に、表示装置２００のディスプレイ装置上でも５ｃｍの長さとなるように表示する、というような表示が可能となる。
【００４８】
図８では、第１の表示モードで表示されている例を示したものであり、第１の表示モードでは、画像表示部２１０は、マーカー８１０と画像８２０との全部または一部が重なった状態で、マーカー８１０に対して垂直方向に移動させた位置に画像８２０を表示させる。
【００４９】
なお、第１の表示モードでは、画像８２０をマーカー８１０の上方向に表示させても良い。また、画像８２０をマーカー８１０の下方向に表示させても良い。また、第１の表示モードでは、画像表示部２１０は、正面画像（商品を正面方向から観察した状態を示す）と平面画像（商品を平面方向（上方向）から観察した状態を示す）のうち、正面画像を選択して実寸大画像重畳表示画面に表示させるようにしても良い。また、第１の表示モードでは、画像表示部２１０は、画像８２０の下辺をマーカー８１０の上端に接触させて表示させるようにしても良い。
【００５０】
第２のモード切替ボタン７２００が押下されると、画像表示部２１０は、表示モードを第２の表示モードへと切り替え、図９に示される実寸大画像重畳表示画面が表示される。図９に示されるように、第２の表示モードでは、画像表示部２１０は、マーカー８１０と画像８２０とが重ならない状態（隔離した状態）で、マーカー８１０に対して上方向に移動させた位置に画像８２０を表示させる。また、第２の表示モードでは、画像表示部２１０は、正面画像と平面画像のうち、正面画像を選択して実寸大画像重畳表示画面に表示させるようにしても良い。
【００５１】
第３のモード切替ボタン７３００が押下されると、画像表示部２１０は、表示モードを第３の表示モードへと切り替え、図１０に示される実寸大画像重畳表示画面が表示される。図１０に示されるように、第３の表示モードでは、画像表示部２１０は、マーカー８１０と画像８２０との全部または一部が重なった状態で、マーカー８１０に対して水平方向（右方向または左方向）に移動させた位置に画像８２０を表示させる。また、第３の表示モードでは、画像表示部２１０は、正面画像と平面画像のうち、平面画像を選択して実寸大画像重畳表示画面に表示させるようにしても良い。また、第３の表示モードにて、画像表示部２１０は、マーカー８１０の中心位置または重心と画像８２０の中心位置または重心とが重なる状態で画像８２０を表示させるようにしても良い。
【００５２】
第４のモード切替ボタン７３００が押下されると、画像表示部２１０は、表示モードを第４の表示モードへと切り替え、図１１に示される実寸大画像重畳表示画面が表示される。図１１に示されるように、第４の表示モードでは、画像表示部２１０は、マーカー８１０と画像８２０との全部または一部が重なった状態で、画像８２０を表示させる。また、第４の表示モードでは、画像表示部２１０は、正面画像と平面画像のうち、平面画像を選択して実寸大画像重畳表示画面に表示させる。なお、第４の表示モードでは、画像表示部２１０は、商品を斜め方向から観察した状態を示す斜視画像を実寸大画像重畳表示画面に表示させるようにしても良い。また、第４の表示モードでは、画像表示部２１０は、マーカー８１０と画像８２０とが重ならない状態（隔離した状態）で、マーカー８１０に対して水平方向（右方向または左方向のいずれかの）に移動させた位置に画像８２０を表示させるようにしても良い。
【００５３】
さらに、第４の表示モードでは、画像表示部２１０は、マーカーサイズ情報を構成する、マーカー８１０の幅とマーカー８１０の高さとを対比し、マーカー８１０の幅がマーカー８１０の高さよりも大きい場合は、マーカー８１０を横画像と判定する。一方で、マーカーサイズ情報を構成する、マーカー８１０の幅とマーカー８１０の高さとを対比し、マーカー８１０の高さがマーカー８１０の幅よりも大きい場合は、マーカー８１０を縦画像と判定するようにしても良い。そして、マーカー８１０が横画像の場合は、画像表示部２１０は、互いに隣り合うマーカー８１０の測辺と画像８２０の測辺が接触した状態で画像８２０を表示させる。また、マーカー８１０が縦画像の場合は、画像表示部２１０は、互いに隣り合うマーカー８１０の測辺と画像８２０の測辺とが、マーカー８１０の幅だけ水平方向に隔離した状態で画像８２０を表示させる。
【００５４】
図８〜図１１に示される実寸大画像重畳表示画面にて、マーカー８１０が移動されると、画像８２０はマーカー８１０に追従する。これによって、例えば、画像８２０がマウスの画像である場合には、カード形状のマーカー８２０を移動させることで、実寸大画像重畳表示画面を介して実際のマウスを操作している映像を確認できる。
【００５５】
なお、スロットに複数の画像８２０が登録されている場合、実寸大画像重畳表示画面に表示させる画像８２０を選択する入力を受け付けるようにしても良い。この場合、画像表示部２１０は、選択された画像８２０を、実寸大画像重畳表示画面に表示させる。
＜全体処理＞
図１２は、本発明の一実施の形態における全体処理の概要を示す図である。
まず、Ｓ１２０１にて、商品データ登録処理（後述、図１３）が実行される。
次に、Ｓ１２０２にて、表示装置２００は、画像リスト画面（前述、図５）を介して、スロットにセットされる画像を選択する入力を受け付ける。
【００５６】
次に、Ｓ１２０３にて、実寸大画像表示処理（後述、図１４）が実行され、表示装置２００の撮像部２６０により撮像されたマーカーに対して、Ｓ１２０２にてスロットにセットされた画像が重畳表示される。
＜商品データ登録処理＞
図１３は、本発明の一実施の形態における商品データ登録処理の概要を示す図である。
まず、Ｓ１３０１にて、商品画像提供端末３００は、商品画像表示画面をディスプレイに表示させる。
次に、Ｓ１３０２にて、表示装置２００の撮像部２６０は、撮像を開始する。
【００５７】
次に、Ｓ１３０３にて、表示装置２００のＱＲコード読取処理部２５０は、商品画像提供端末３００のディスプレイに表示されている商品画像表示画面に含まれるＱＲコードが撮像部２６０により撮像されているかを判定する。ＱＲコード読取処理部２５０が、ＱＲコードが撮像されていないと判定する場合（Ｓ１３０３−Ｎｏ）、Ｓ１３０２へ戻る。一方、ＱＲコード読取処理部２５０が、ＱＲコードが撮像されていると判定する場合（Ｓ１３０３−Ｙｅｓ）、Ｓ１３０４へ進む。
【００５８】
次に、Ｓ１３０４にて、表示装置２００の画像表示部２１０は、ＱＲコードから特定される商品画像ＵＲＬにアクセスする。そして、画像表示部２１０は、商品名と、商品の縮尺情報と、商品の画像データを取得するための商品画像ＵＲＬとを取得する。例えば、画像表示部２１０は、外部のサーバから商品名と、商品の縮尺情報と、商品の画像データとを取得する。また、画像表示部２１０は、商品名と、商品の縮尺情報とについては縮尺情報共有サーバ１００から取得するようにしても良い。また、ＱＲコードから特定される商品画像ＵＲＬをキーに縮尺情報記憶部２３０を検索し、対応する商品名と、商品の縮尺情報と商品サイズ情報とを取得するようにしても良い。
【００５９】
次に、Ｓ１３０５にて、表示装置２００の画像表示部２１０は、Ｓ１３０５にて取得した商品名と、商品の画像データを取得するための商品画像ＵＲＬと、商品の縮尺情報とを対応付けて縮尺情報記憶部２３０に記憶する。
＜実寸大画像表示処理＞
【００６０】
図１４は、本発明の一実施の形態における実寸大画像表示処理の概要を示す図である。実寸大画像表示処理は、表示装置２００の実寸大画像表示アプリケーションが起動された場合に開始する。
まず、Ｓ１４０１にて、表示装置２００は、実寸大画像重畳表示画面をディスプレイに表示させる。
次に、Ｓ１４０２にて、表示装置２００の撮像部２６０は、撮像を開始する。
【００６１】
次に、Ｓ１４０３にて、表示装置２００の画像表示部２１０は、実寸大画像重畳表示画面にマーカーが含まれるかを判定する。画像表示部２１０は、実寸大画像重畳表示画面にマーカーが含まれていないと判定する場合（Ｓ１４０３−Ｎｏ）、Ｓ１４０１へ戻る。一方、画像表示部２１０は、実寸大画像重畳表示画面にマーカーが含まれていると判定する場合（Ｓ１４０３−Ｙｅｓ）、Ｓ１４０４へ進む。
【００６２】
次に、Ｓ１４０４にて、表示装置２００の画像表示部２１０は、実寸大画像重畳表示画面に含まれるマーカーと対応する商品名をキーに、縮尺情報記憶部２３０を検索し、対応する商品画像ＵＲＬと、縮尺情報とを取得する。そして、取得した縮尺情報から商品サイズ情報を算出する。例えば、画像表示部２１０は、表示装置２００のディスプレイの表示領域の寸法及び縦横のピクセル数と縮尺情報とに基づき、商品サイズ情報を算出する。
なお、画像表示部２１０は、縮尺情報に替えて商品サイズ情報を取得するようにしても良い。
【００６３】
次に、Ｓ１４０５にて、表示装置２００の画像表示部２１０は、スロット番号をキーに、マーカー情報記憶部２７０を検索し、対応するマーカーサイズ情報を取得する。
【００６４】
次に、Ｓ１４０６にて、表示装置２００の画像表示部２１０は、Ｓ１４０４にて算出または取得した商品サイズ情報とＳ１４０５に取得したマーカーサイズ情報とに基づき、マーカーのサイズと商品のサイズとの比率を算出する。
【００６５】
例えば、画像表示部２１０は、マーカーの高さ（ディスプレイに表示されるマーカー画像の縦方向の長さ）と、商品の高さ（ディスプレイに表示される商品画像の縦方向の長さ）との比率を、マーカーのサイズと商品のサイズとの比率として算出する。
【００６６】
なお、画像表示部２１０は、マーカーの幅（ディスプレイに表示されるマーカー画像の横方向の長さ）と、商品の幅（ディスプレイに表示される商品画像の横方向の長さ）との比率を、マーカーのサイズと商品のサイズとの比率として算出するようにしても良い。
【００６７】
次に、Ｓ１４０７にて、表示装置２００の画像表示部２１０は、Ｓ１４０６にて算出した比率に基づき、商品画像ＵＲＬから特定される商品画像を実寸大画像重畳表示画面に表示させる。これによって、Ｓ１２０２にてスロットにセットされた画像が重畳表示される。
＜本実施の形態の効果＞
以上説明した本実施の形態における
【００６８】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００６９】
例えば、表示装置がスマートフォンやタブレット端末である実施形態もある。また、寄付者端末・被寄付者端末は、デスクトップ型のＰＣ（Ｐｅｒｓｏｎａｌ  Ｃｏｍｐｕｔｅｒ）や、ノート型ＰＵや、スマートフォンや、タブレット端末にも、様々な形態の端末を全て含むものである。
【００７０】
また、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【００７１】
また、上記の各構成、機能、処理部は、それらの一部又は全部を、ハードウェア（例えば、集積回路）で実現してもよい。また、上記の各構成、機能、処理部は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【符号の説明】
【００７２】
１００…縮尺情報共有サーバ、１１０…縮尺情報受信部、１２０…共有縮尺情報記憶部、１３０…縮尺情報配信部、  
【００７３】
２００…表示装置、２１０…画像表示部、２２０…縮尺設定部、２３０…縮尺情報記憶部、２４０…縮尺指定部、２５０…ＱＲコード読取処理部、２６０…撮像部、２７０…マーカー情報記憶部、２８０登録情報記憶部。
３００…商品画像提供端末。
【図１】
2019040490.tif 000003
【図２】
2019040490.tif 000004
【図３】
2019040490.tif 000005
【図４】
2019040490.tif 000006
【図５】
2019040490.tif 000007
【図６】
2019040490.tif 000008
【図７】
2019040490.tif 000009
【図８】
2019040490.tif 000010
【図９】
2019040490.tif 000011
【図１０】
2019040490.tif 000012
【図１１】
2019040490.tif 000013
【図１２】
2019040490.tif 000014
【図１３】
2019040490.tif 000015
【図１４】
2019040490.tif 000016